(57)【要約】【課題】検査時に偏光板を液晶表示パネルに接近させて配置し、且つ保持板からの液晶表示パネルの取外しを容易にする。【解決手段】液晶表示パネル１の表示領域Ｄにバックライト５０の光を照射するための開口部１６が形成され、開口部１６の周縁で非表示領域Ｆを支持して液晶表示パネル１を保持する保持板１０と、保持板１０に保持された液晶表示パネル１の表示領域Ｄに対向するようにバックライト５０側に設けられた偏光板３１とを備え、偏光板３１の周縁部を保持し、保持板１０に対して接近又は離間するように移動可能に構成された可動部材３２と、可動部材３２を保持板１０側に付勢する付勢手段３７，３８とを有し、保持板１０には、付勢手段３７，３８の付勢力に抗して可動部材３２を該保持板１０から離間させて液晶表示パネル１を保持板１０から取り外すための取外し孔１８が形成されている。【選択図】図３
2010128210.tif 000002
【特許請求の範囲】
【請求項１】
画像表示を行う表示領域及び該表示領域の外側に非表示領域を有する液晶表示パネルの表示領域にバックライトの光を照射するための開口部が形成され、該開口部の周縁で上記非表示領域を支持して上記液晶表示パネルを保持する保持板と、
上記保持板に保持された液晶表示パネルの表示領域に対向するように上記バックライト側に設けられた偏光板とを備えた液晶表示パネルの検査装置であって、
上記偏光板の周縁部を保持し、上記保持板に対して接近又は離間するように移動可能に構成された可動部材と、
上記可動部材を上記保持板側に付勢する付勢手段とを有し、
上記保持板には、上記付勢手段の付勢力に抗して上記可動部材を該保持板から離間させて上記液晶表示パネルを該保持板から取り外すための取外し孔が形成されている
ことを特徴とする液晶表示パネルの検査装置。
【請求項２】
請求項１に記載の液晶表示パネルの検査装置において、
上記取外し孔は、上記保持板の上記液晶表示パネルを配置する領域の両側に一対に形成されている
ことを特徴とする液晶表示パネルの検査装置。
【請求項３】
請求項１に記載の液晶表示パネルの検査装置において、
上記付勢手段は、上記可動部材に設けられた第１磁石と、上記バックライト側に設けられ、上記第１磁石と反発し合う第２磁石とを有している
ことを特徴とする液晶表示パネルの検査装置。
【請求項４】
請求項１に記載の液晶表示パネルの検査装置において、
上記偏光板は、上記取外し孔に対応する位置にも配置され、
上記可動部材には、上記偏光板における取外し孔に対応する部分に重なるように上記バックライトの光を遮光する遮光部が設けられている
ことを特徴とする液晶表示パネルの検査装置。
【発明の詳細な説明】
【技術分野】
【０００１】
本発明は、液晶表示パネルの検査装置に関するものである。
【背景技術】
【０００２】
従来から、液晶表示装置の製造において、液晶表示パネルに対し、偏光板の貼り付け、フレキシブルプリント配線基板や駆動用ＩＣチップの実装、及びバックライトの取り付け等を行う前に、その液晶表示パネルの断線や短絡、及び薄膜トランジスタの不良等の検査を行っている。
【０００３】
例えば特許文献１には、液晶パネルを脱着自在に保持し、液晶パネルの表示部にバックライトからの光を取り込む開口を有する枠体からなる保持プレートを備え、保持プレートの開口の周縁部に下方向に所定の深さの窪みを設けて嵌着部とし、この嵌着部に液晶パネルの下面に積層して配置される拡散板、レンズシート及び偏光板の周縁部を嵌着して載置する液晶パネルの検査用治具が開示されている。そして、これによれば、保持プレートに保持された液晶パネルの下面に偏光板、レンズシート及び拡散板が設けられるので、液晶パネルを含むこれら積層体の撓みが少なくなるとともに、特にレンズシートと拡散板の併用によってバックライトの効率が向上し、液晶パネルの検査精度を高めることができ、しかも、液晶パネルと偏光板との間に隙間がないので、液晶パネルと下側の偏光板との間にできる空間が原因で生じていた液晶パネルの検査時の誤検出、即ち、液晶表示パネルの検査時に液晶パネルを通り越して下側の偏光板やバックライトの傷、埃等が見え、小さい絵素欠陥やＣＦ基板内の傷を見落とす等の誤検出をなくすことができる、と記載されている。
【特許文献１】特開２００３−７５７９２号公報
【発明の開示】
【発明が解決しようとする課題】
【０００４】
ところで、液晶表示パネルは比較的薄いので、検査後において作業者が液晶表示パネルを保持板から取り外し難い。そこで、保持板における液晶表示パネルを配置する領域の両側にその液晶表示パネルの非表示領域の一部に重なるように凹む一対の取外し凹部を設けることにより、この一対の取外し凹部に指先を入れて作業者が液晶表示パネルを容易に狭持することを可能にし、液晶表示パネルを取り外しやすくすることが提案されている。
【０００５】
図８は、従来の検査装置１００を概略的に示す断面図である。尚、図８は、保持板１０１に液晶表示パネル１１０を保持した状態を示し、図中の液晶表示パネル１１０における領域１１０ｄは表示領域、領域１１０ｆは非表示領域をそれぞれ示している。
【０００６】
検査装置１００は、図８に示すように、液晶表示パネル１１０を保持する保持板１０１と、保持板１０１に保持された液晶表示パネル１１０側に光を照射するバックライト１０６とを備えている。保持板１０１には、液晶表示パネル１１０の表示領域１１０ｄに光を照射するための照射用開口部１０２が形成され、さらにこの照射用開口部１０２の周縁に全周に亘って凹む嵌着凹部１０３が形成されている。嵌着凹部１０３は、上述の特許文献１の嵌着部に対応する。この嵌着凹部１０３にはバックライト１０６側の偏光板１０５の周縁部が嵌着されてその偏光板１０５が保持板１０１に取り付けられている。そして、保持板１０１における液晶表示パネル１１０を配置する領域の両側に非表示領域１１０ｆの一部に重なるように一対の取外し凹部１０４が設けられている。
【０００７】
このように照射用開口部１０２の周縁に嵌着凹部１０３が形成された保持板１０１に一対の取外し凹部１０４を設ける場合には、偏光板１０５を介して各取外し凹部１０４からバックライト１０６の光が漏れることを防止するために、嵌着凹部１０３と各取外し凹部１０４との間に遮光部分１０７を設けておく必要がある。
【０００８】
しかし、近年、液晶表示パネルの非表示領域の縮小化が進められ、非表示領域の幅が比較的狭くなっていることから、保持板の嵌着凹部の外側に液晶表示パネルの非表示領域を配置させる領域を確保することが難しいため、一対の取外し凹部を設けることでは液晶表示パネルの取外しを容易にできない。仮に、保持板の嵌着凹部の外側に液晶表示パネルの非表示領域を配置する領域を確保できたとしても、その非表示領域を配置する領域の幅は非常に狭く、液晶表示パネルの非表示領域に重なるように嵌着凹部の外側に遮光部分を介して各取外し凹部を設けることが難しい。
【０００９】
本発明は、斯かる諸点に鑑みてなされたものであり、その目的とするところは、検査時に偏光板を液晶表示パネルに接近させて配置し、且つ保持板からの液晶表示パネルの取外しを容易にすることにある。
【課題を解決するための手段】
【００１０】
上記の目的を達成するために、この発明では、バックライト側の偏光板の周縁部を保持して保持板に接近又は離間するように移動可能に構成された可動部材と、可動部材を保持板側に付勢する付勢手段とを有し、保持板に、付勢手段の付勢力に抗して可動部材を保持板から離間させて液晶表示パネルを保持板から取り外すための取外し孔が形成されているようにした。
【００１１】
具体的に、本発明に係る液晶表示パネルの検査装置は、画像表示を行う表示領域及び該表示領域の外側に非表示領域を有する液晶表示パネルの表示領域にバックライトの光を照射するための開口部が形成され、該開口部の周縁で上記非表示領域を支持して上記液晶表示パネルを保持する保持板と、上記保持板に保持された液晶表示パネルの表示領域に対向するように上記バックライト側に設けられた偏光板とを備えた液晶表示パネルの検査装置であって、上記偏光板の周縁部を保持し、上記保持板に対して接近又は離間するように移動可能に構成された可動部材と、上記可動部材を上記保持板側に付勢する付勢手段とを有し、上記保持板には、上記付勢手段の付勢力に抗して上記可動部材を該保持板から離間させて上記液晶表示パネルを該保持板から取り外すための取外し孔が形成されていることを特徴とする。
【００１２】
この構成によると、付勢手段によって可動部材が保持板側に付勢されているため、液晶表示パネルを検査するときには、偏光板が液晶表示パネルに接近した状態に配置されている。さらに、検査後に液晶表示パネルを保持板から取り外すときには、作業者が指先で取外し孔を介して可動部材をバックライト側に押圧し、その可動部材を付勢手段の付勢力に抗して保持板から離間させることにより、取外し孔上に配置された液晶表示パネルの非表示領域のバックライト側に十分な隙間ができ、液晶表示パネルを保持板から容易に取り外すことが可能になる。したがって、検査時に偏光板が液晶表示パネルに接近して配置され、且つ保持板からの液晶表示パネルの取外しが容易になる。そして、偏光板が液晶表示パネルに接近して配置されることにより、液晶表示パネルとバックライト側の偏光板との距離が長くなるに連れて低下する検査における液晶表示パネルのコントラストの低下が抑制されて液晶表示パネルの表示欠陥を精度良く検査することが可能になり、且つ保持板からの液晶表示パネルの取外しが容易になることにより、液晶表示パネルの検査を効率良く連続して行うことが可能になる。
【００１３】
上記取外し孔は、上記保持板の上記液晶表示パネルを配置する領域の両側に一対に形成されていることが好ましい。
【００１４】
この構成によると、液晶表示パネルを保持板から取り外すときには、一対の取外し孔を介して指先で可動部材をバックライト側に押圧することで作業者が液晶表示パネルを容易に挟持することが可能になり、偏光板からの液晶表示パネルの取外しがさらに容易になる。
【００１５】
上記付勢手段は、上記可動部材に設けられた第１磁石と、上記バックライト側に設けられ、上記第１磁石と反発し合う第２磁石とを有していることが好ましい。
【００１６】
ところで、検査作業等によって偏光板が損傷又は破損した場合には偏光板を取り替える必要がある。仮に、コイルバネ等の付勢手段によって可動部材が保持板側に付勢されている場合には、可動部材がコイルバネを介して検査装置の他部に繋がれるため、偏光板を取り替え難い。これに対して、上記構成によると、第１磁石と第２磁石との反発力によって可動部材が保持板側に付勢されており、可動部材が検査装置の他部に繋がれていないため、偏光板を取り替えやすい。
【００１７】
上記偏光板は、上記取外し孔に対応する位置にも配置され、上記可動部材には、上記偏光板における取外し孔に対応する部分に重なるように上記バックライトの光を遮光する遮光部が設けられていることが好ましい。
【００１８】
この構成によると、偏光板を介して取外し孔からバックライトの光が漏れることが抑制されるため、検査において液晶表示パネルの周囲から漏れるバックライトの光によって液晶表示パネルの表示欠陥を作業者が見落とすことが抑制され、液晶表示パネルの検査をより精度良く行うことが可能になる。
【発明の効果】
【００１９】
本発明によれば、バックライト側の偏光板の周縁部を保持して保持板に接近又は離間するように移動可能に構成された可動部材と、可動部材を保持板側に付勢する付勢手段とを有し、保持板に、付勢手段の付勢力に抗して可動部材を保持板から離間させて液晶表示パネルを保持板から取り外すための取外し孔が形成されているので、検査時に偏光板を液晶表示パネルに接近させて配置でき、且つ保持板からの液晶表示パネルの取外しを容易にできる。
【発明を実施するための最良の形態】
【００２０】
以下、本発明の実施形態を図面に基づいて詳細に説明する。尚、本発明は、以下の各実施形態に限定されるものではない。
【００２１】
《発明の実施形態１》
図１〜図７は、本発明の実施形態１を示している。図１は、本実施形態の液晶表示パネル１の検査装置Ｓを概略的に示す斜視図である。図２は、図１のII−II線に沿って検査装置Ｓを概略的に示す断面図である。図３は、裏側偏光ユニット３０を押し下げた状態の検査装置Ｓを概略的に示す断面図である。図４は、検査装置Ｓによって検査される液晶表示パネル１を概略的に示す斜視図である。
【００２２】
検査装置Ｓは、液晶表示装置の製造において、液晶表示装置を構成する液晶表示パネル１に点灯検査を行うための装置である。
【００２３】
この検査装置Ｓを用いて検査する液晶表示パネル１は、図４に示すように、一対の基板２，３が枠状のシール材４を介して互いに貼り合わされ、シール材４の内側に液晶層５が封入されて構成されている。この液晶表示パネル１は、一対の基板２，３が液晶層５を介して対向する部分に画像表示を行う表示領域Ｄ、その表示領域Ｄの外側に非表示領域Ｆをそれぞれ有している。そして、液晶表示パネル１は、一方の基板２が他方の基板３よりも外側に突出した部分に端子部１ａが設けられており、この端子部１ａに画像表示のための信号が外部回路から入力される。
【００２４】
検査装置Ｓは、図１及び図２に示すように、液晶表示パネル１を保持するための保持板１０と、保持板１０に保持された液晶表示パネル１の表示面側（図中上側）に配置される表側偏光板２１を有する表側偏光ユニット２０、及びその液晶表示パネル１の表示面とは反対側（図中下側）に配置される裏側偏光板３１を有する裏側偏光ユニット３０と、液晶表示パネル１に検査信号を入力するための信号入力部４０と、バックライト５０とを備えている。
【００２５】
保持板１０は、アルミニウム製のベース板１１と、液晶表示パネル１が載置される部分に設けられたステンレス製のパネル載置板１２とで構成されている。このように保持板１０の液晶表示パネル１を載置する部分を耐摩耗性が比較的高いステンレス製のパネル載置板１２で構成することにより、保持板１０への液晶表示パネル１の載置及び取外し作業によって保持板１０が摩耗することが抑制される。
【００２６】
ベース板１１の両側部は、手前側（図１中左斜め下側）から奥側（図１中右斜め上側）に向かって互いに平行に延びるように設けられたゴム製の一対の支持部１３によってバックライト５０上に支持されている。これにより、ベース板１１は、バックライト５０に対して間隔をおいて配置されている。このベース板１１には、図２に示すように、液晶表示パネル１よりも大きく且つ裏側偏光ユニット３０が嵌るように開口する開口部１４が形成され、さらにこの開口部１４の上側の周縁に全周に亘ってパネル載置板１２の外形を象るように凹む嵌着凹部１５が形成されている。そして、この嵌着凹部１５にはパネル載置板１２の周縁部が嵌め込まれて、パネル載置板１２がベース板１１に取り付けられている。
【００２７】
パネル載置板１２は、図１に示すように、液晶表示パネル１の表示領域Ｄに対してバックライト５０の光を照射するための照射用開口部１６が中央部分に形成され、その照射用開口部１６の周縁で液晶表示パネル１の非表示領域Ｆを支持して液晶表示パネル１を保持する。このパネル載置板１２の照射用開口部１６の上側の周縁には、液晶表示パネル１を位置決めするための複数の位置決め凸部１７が設けられている。これら複数の位置決め凸部１７は、パネル載置板１２の所定の位置に配置された液晶表示パネル１の側辺の所定の箇所、例えば端子部１ａ側の辺の両端部分、及びその端子部１ａ側の辺に直交する一方の辺の中央部分に当接する位置にそれぞれ配置されている。
【００２８】
そして、パネル載置板１２には、図１及び図２に示すように、液晶表示パネル１をそのパネル載置板１２から取り外すための取外し孔１８が形成されている。この取外し孔１８はパネル載置板１２の液晶表示パネル１を配置する領域の両側に一対に形成されており、これら一対の取外し孔１８はパネル載置板１２の所定の位置に液晶表示パネル１を配置させたときに各取外し孔１８上に非表示領域Ｆの一部が配置されるようにそれぞれ形成されている。
【００２９】
表側偏光ユニット２０は、図１に示すように、ベース板１１の両側部に設けられた一対の支持部２２と、各支持部２２に支持されて互いに平行に設けられた柱状の一対の板保持部２３とを有し、表側偏光板２１は一対の板保持部２３に両側部が保持されている。各支持部２２は、ベース板１１上に設けられ、パネル載置板１２の奥側に配置されている。これら各支持部２２は、パネル載置板１２の側方に沿って延びる支持軸２４を有し、その支持軸２４に各板保持部２３を回動可能に支持している。図１中の矢印は一対の板保持部２３が回動する方向を示している。そして、表側偏光板ユニット２０は、一対の板保持部２３を回動させて保持板１０側に移動させることにより、保持板１１に保持された液晶表示パネル１に対して平行に表側偏光板２１を重ねて配置するように構成されている。
【００３０】
裏側偏光ユニット３０は、図２に示すように、照射用開口部１６に対応する位置にその照射用開口部１６よりも大きな開口部３３を有する矩形状の枠体からなる可動部材３２を有し、この可動部材３２に裏側偏光板３１の周縁部が保持され、開口部３３上に裏側偏光板３１が配置されて構成されている。具体的に、可動部材３２には、開口部３３の上側の周縁に裏側偏光板３１の外形を象るように凹む嵌着凹部３４が形成されている。この嵌着凹部３４には、ガラス板３５に貼り付けられた裏側偏光板３１の周縁部がパネル載置板１２側にガラス板３５が配置するように嵌め込まれて、裏側偏光板３１が可動部材３２に取り付けられている。この嵌着凹部３４はパネル載置板１２の各取外し孔１８に対応する位置にまで設けられており、裏側偏光板３１は各取外し孔１８に対応する位置にも配置されている。そして、可動部材３２には、裏側偏光板３１における各取外し孔１８に対応する部分の全体に重なるように、バックライト５０の光を遮光する遮光部であるステンレス製の遮光板３６が設けられている。この可動部材３２は、検査装置Ｓの他部に繋がれておらず、保持板１０に対して接近又は離間するように移動可能に構成されている。そして、裏側偏光ユニット３０自体も保持板１０に対して接近又は離間するようになっている。
【００３１】
さらに、図１に示すように、可動部材３２には四隅の下面に第１磁石３７がそれぞれ設けられ、バックライト５０上には各第１磁石３７に対応する位置に各第１磁石３７と反発し合う第２磁石３８がそれぞれ設けられている。これら対応する各第１磁石３７及び第２磁石３８は本実施形態の付勢手段を構成している。可動部材３２は対応する各第１磁石３７と第２磁石３８との反発力によってパネル載置板１２側に付勢されており、そのことによって、図２に示すように、裏側偏光ユニット３０はバックライト５０から浮いた状態でベース板１１の開口部１４に嵌ってパネル載置板１２に当接し、裏側偏光板３１が液晶表示パネル１に接近して配置されている。そして、裏側偏光ユニット３０は、図３に示すように、一対の取外し孔１８を介して可動部材３２をバックライト５０側に押圧することにより、対応する各第１磁石３７及び第２磁石３８の付勢力に抗して押し下げることが可能に構成されている。図３中の矢印は、裏側偏光ユニット３０を押圧する方向を示している。
【００３２】
また、裏側偏光ユニット３０は、ベース板１１を支持する一対の支持部１３の間に手前側から奥側へスライドさせて挿入することによりベース板１０の開口部１４に嵌めて検査装置Ｓに取り付けられ、また一対の取外し孔１８を介してバックライト５０側に押圧した状態で手前側にスライドさせて一対の支持部１３の間から外部へ取り出せるようになっている。
【００３３】
信号入力部４０は、図１に示すように、液晶表示パネル１の端子部１ａに接続するための入力端子部４１を先端部分に有し、液晶表示パネル１に入力端子部４１を介して検査信号を供給するための検査用回路（図示省略）に電気的に接続されている。バックライト５０は、保持板１０に保持された液晶表示パネル１側に均一な面状の光を照射するように構成されている。
【００３４】
−検査方法−
次に、上記検査装置Ｓを用いて液晶表示パネル１を検査する方法について、図５〜図７を参照しながら説明する。図５は、液晶表示パネル１を保持板１０に保持させた状態の検査装置Ｓを概略的に示す斜視図である。図６は、液晶表示パネル１上に表側偏光板２１を配置させた状態の検査装置Ｓを概略的に示す断面図である。図７は、保持板１０から液晶表示パネル１を取り外している状態を概略的に示す断面図である。
【００３５】
検査装置Ｓを用いて液晶表示パネル１を検査するには、まず、図５に示すように、液晶表示パネル１の側辺の所定の箇所を各位置決め凸部１７に当接させてパネル載置板１２に液晶表示パネル１を載置することにより、液晶表示パネル１を保持板１０に位置決めして保持させる。
【００３６】
次に、作業者が手動により一対の板保持部２３を回動させて、図６に示すように、液晶表示パネル１上に表側偏光板２１を重ねて配置させる。そして、バックライト５０の光を液晶表示パネル１の表示領域Ｄに照射した状態において、液晶表示パネル１の端子部１ａに信号入力部４０の入力端子部４１を接続してその信号入力部４０から検査信号を液晶表示パネル１に入力することにより、液晶表示パネル１に画像表示を行わせ、作業者が目視によって液晶表示パネル１の表示欠陥を検査する。
【００３７】
その後、図７に示すように、一対の取外し孔１８を介して作業者が指先６０で裏側偏光ユニット３０を可動部材３２と共にバックライト５０側に押圧して移動させ、液晶表示パネル１を狭持して持ち上げることにより、液晶表示パネル１を保持板１０から取り外す。
【００３８】
−実施形態１の効果−
したがって、この実施形態１によると、対応する各第１磁石３７及び第２磁石３８の反発力によって可動部材３２が保持板１０側に付勢されているため、液晶表示パネル１を検査するときには、裏側偏光板３１を液晶表示パネル１に接近した状態に配置できる。さらに、検査後に液晶表示パネル１を保持板１１から取り外すときには、作業者が指先６０で一対の取外し孔１８を介して可動部材３２をバックライト５０側に押圧し、可動部材３２を対応する各第１磁石３７及び第２磁石３８の反発力に抗して保持板１０から離間させることにより、各取外し孔１８上に配置された液晶表示パネル１の非表示領域Ｆと裏側偏光ユニット３０との間に十分な隙間ができ、作業者が液晶表示パネル１を挟持して保持板１０から容易に取り外すことができる。したがって、検査時に裏側偏光板３１を液晶表示パネル１に接近させて配置でき、且つ保持板１０からの液晶表示パネル１の取外しを容易にできる。そして、裏側偏光板３１を液晶表示パネル１に接近させて配置できることにより、液晶表示パネル１と裏側偏光板３１との距離が長くなるに連れて低下する検査における液晶表示パネル１のコントラストの低下を抑制できて液晶表示パネル１の表示欠陥を精度良く検査でき、且つ保持板１０からの液晶表示パネル１の取外しを容易にできることにより、液晶表示パネル１の検査を効率良く連続して行うことができる。
【００３９】
ところで、検査作業等によって裏側偏光板３１が損傷又は破損した場合には裏側偏光板３１を取り替える必要がある。仮に、コイルバネ等の付勢手段によって可動部材が保持板側に付勢されている場合には可動部材がコイルバネを介して検査装置の他部に繋がれているために裏側偏光板を取り替え難い。これに対して、本実施形態の検査装置Ｓによると、対応する各第１磁石３７と第２磁石３８との反発力によって可動部材３２が保持板１０側に付勢されており、可動部材３２は検査装置Ｓの他部に繋がれていないため、裏側偏光板３１の取り替えを容易にできる。
【００４０】
また、可動部材３２には裏側偏光板３１における各取外し孔１８に対応する部分の全体に重なるように遮光部３６が設けられているため、裏側偏光板３１を介して各取外し孔１８からバックライト５０の光が漏れることを抑制できる。そのことにより、検査において液晶表示パネル１の周囲から漏れるバックライト５０の光によって液晶表示パネル１の表示欠陥を作業者が見落とすことを抑制でき、液晶表示パネル１の検査をより精度良く行うことができる。
【００４１】
《その他の実施形態》
上記実施形態１では、可動部材３２に設けられた各第１磁石３７とバックライト５０上の各第２磁石３８との反発力によって可動部材３２が保持板１０側に付勢されているとしたが、本発明はこれに限られず、可動部材３２は、可動部材３２とバックライト５０との間で伸縮するように設けられたコイルバネ等の他の付勢手段によって保持板１０側に付勢されていてもよい。
【００４２】
上記実施形態１では、取外し孔１８がパネル載置板１２の液晶表示パネル１を配置する領域の両側に一対に形成されているとしたが、本発明はこれに限られず、取外し孔１８は、パネル載置板１２の液晶表示パネル１を配置する領域の側方に１つだけ形成されていてもよい。
【産業上の利用可能性】
【００４３】
以上説明したように、本発明は、液晶表示パネルの検査装置について有用であり、特に、検査時に偏光板を液晶表示パネルに接近させて配置し、且つ保持板からの液晶表示パネルの取外しを容易にすることが要望される液晶表示パネルの検査装置に適している。
【図面の簡単な説明】
【００４４】
【図１】実施形態１の液晶表示パネルの検査装置を概略的に示す斜視図である。
【図２】図１のII−II線断面を概略的に示す断面図である。
【図３】裏側偏光ユニットを押し下げた状態の検査装置を概略的に示す断面図である。
【図４】検査装置によって検査される液晶表示パネルを概略的に示す斜視図である。
【図５】液晶表示パネルを保持板に保持させた状態の検査装置を概略的に示す斜視図である。
【図６】液晶表示パネル上に表側偏光板を重ねて配置させた状態の検査装置を概略的に示す断面図である。
【図７】液晶表示パネルを保持板から取り外している状態を概略的に示す断面図である。
【図８】従来の検査装置を概略的に示す断面図である。
【符号の説明】
【００４５】
Ｄ    表示領域
Ｆ    非表示領域
Ｓ    検査装置
１    液晶表示パネル
１０    保持板
１６    照射用開口部
１８    取外し孔
３１    裏側偏光板
３２    可動部材
３６    遮光板（遮光部）
３７    第１磁石（付勢手段）
３８    第２磁石（付勢手段）
５０    バックライト
【図１】
2010128210.tif 000003
【図２】
2010128210.tif 000004
【図３】
2010128210.tif 000005
【図４】
2010128210.tif 000006
【図５】
2010128210.tif 000007
【図６】
2010128210.tif 000008
【図７】
2010128210.tif 000009
【図８】
2010128210.tif 000010